(57)【要約】【課題】着脱可能な入力装置と通信装置の両方を取り付けても、装置本体や、その設置スペースの幅方向の大型化を抑制できる画像形成装置を提供する。【解決手段】複合機５００は、装置本体４００の前後方向（ＦＲ方向）における、操作パネル５を設ける上前カバー４の領域に、キーボード７１及びカードリーダー５３の、少なくともいずれかを着脱可能に構成されている。そして、カードリーダー５３の配置位置が、キーボード７１の配置位置の、前後方向の後方であって、前後方向に直交する左右方向（Ｗ方向）の領域内に配置されるように構成した。【選択図】図３
2018046499.tif 000002
【特許請求の範囲】
【請求項１】
装置本体の前後方向における、表示操作部を設ける前方の領域に、キーを有した入力装置及び通信装置の、少なくともいずれかを着脱可能な画像形成装置において、
前記通信装置の配置位置が、前記入力装置の配置位置の、前記前後方向の後方であって、前記前後方向に直交する幅方向の領域内に配置されることを特徴とする画像形成装置。
【請求項２】
請求項１に記載の画像形成装置において、
前記入力装置及び前記通信装置を搭載できる搭載部材を取り付け可能であり、
前記搭載部材は、前記入力装置の配置位置である入力装置搭載領域と、前記通信装置の配置位置である通信装置搭載領域とを有することを特徴とする画像形成装置。
【請求項３】
請求項２に記載の画像形成装置において、
前記通信装置搭載領域の前記幅方向の前記表示操作部側に、前記入力装置及び前記通信装置をそれぞれ、前記表示操作部、又は前記装置本体の適所に接続する配線部材の余長部分を収容する余剰領域を有することを特徴とする画像形成装置。
【請求項４】
請求項３に記載の画像形成装置において、
前記表示操作部は、前記幅方向に所定の広さを有した台部に設けられており、
前記台部の、前記表示操作部に前記幅方向で隣接する少なくとも一方の領域には、前記通信装置を直接、前記台部に設置するときの設置面が設けられ、前記設置面には、前記搭載部材を固定する固定部が設けられていることを特徴とする画像形成装置。
【請求項５】
請求項３又は４に記載の画像形成装置において、
前記搭載部材は、前記余剰領域の前記表示操作部側に、その底面から立設する壁部が設けられ、前記壁部に形成された貫通孔を介して、前記入力装置を前記表示操作部に接続する入力配線部材の接続部が、前記表示操作部に接続されることを特徴とする画像形成装置。
【請求項６】
請求項２乃至５のいずれか一に記載の画像形成装置において、
前記通信装置を前記装置本体の適所に接続する通信配線部材は、前記搭載部材の前記通信装置搭載領域の底面に形成された貫通孔を介して、前記搭載部材の外部へ引き出されることを特徴とする画像形成装置。
【請求項７】
請求項１乃至６のいずれか一に記載の画像形成装置において、
前記入力装置は、前記装置本体に取り付けられたとき、前記幅方向において、前記装置本体の側面から外側に突出しないことを特徴とする画像形成装置。
【請求項８】
請求項１乃至７のいずれか一に記載の画像形成装置において、
前記入力装置は、前記装置本体に取り付けられたとき、前記前後方向において、前記表示操作部を設けた前記装置本体の前面よりも前方に突出しないことを特徴とする画像形成装置。
【請求項９】
着脱可能に入力装置及び通信装置を搭載し、画像形成装置の装置本体に対して取付け可能な搭載部材であって、
前記入力装置を搭載する入力装置搭載領域と、
前記装置本体の前後方向において入力装置搭載領域の後方側であって、且つ前記前後方向に直交する幅方向における前記入力装置搭載領域の領域内に設けられた、前記通信装置を搭載する通信装置搭載領域と、を有することを特徴とする搭載部材。
【発明の詳細な説明】
【技術分野】
【０００１】
本発明は、画像形成装置、及びこの画像形成装置に取り付け可能な搭載部材に関するものである。
【背景技術】
【０００２】
従来から、装置本体の前後方向における、表示操作部を設ける前方の領域に、キーボード等のキーを有した入力装置、及びカードリーダー等の通信装置の、少なくともいずれかを着脱可能な画像形成装置が知られている。
例えば、特許文献１には、次のような画像形成装置が記載されている。
【０００３】
表示操作部（操作部）を設ける前方の領域に、着脱可能な入力装置（キーボード）と通信装置（カードリーダー）を、前後方向に直交する幅方向において、装置本体の一端側に設けた表示操作部側から、通信装置、入力装置の順で横並びに取り付けている。
この画像形成装置は、胴内排紙型の画像形成装置であり、表示操作部が前方に設けられるスキャナ等の読み取り部の下方に排紙部を設けており、読み取り部の前側面に設ける入力装置の前後方向の飛び出し量を表示操作部よりも少なくしている。一方、入力装置と表示操作部の間に設ける通信装置は、読み取り部の前側面内に設け、前後方向に飛び出さないように構成している。
このように入力装置と通信装置を取り付けることで、特許文献１には、胴内排紙型の排紙部に排出された用紙の視認性や取り出し易さを損なうことなく、入力装置と通信装置を取り付けることができる（配置可能）とされている。
【発明の概要】
【発明が解決しようとする課題】
【０００４】
しかし、胴内排紙型の画像形成装置に限らず、表示操作部側から、横並びに通信装置、入力装置の順で取り付ける従来の画像形成装置では、次のような不具合が生じる場合があった。
例えば、表示操作部が、装置本体の前方の領域の一端側に設けられていたとしても、通信装置と入力装置はそれぞれ幅方向に所定の幅を有しているため、通信装置を介して他端側に設けられる入力装置の一部が装置本体側面から幅方向に突出してしまうおそれがある。このように装置本体側面から幅方向に入力装置の一部が突出してしまうと、画像形成装置、及びその設置スペースの幅方向の大型化を招いてしまう。
【課題を解決するための手段】
【０００５】
上述した課題を解決するために、請求項１に記載の発明は、装置本体の前後方向における、表示操作部を設ける前方の領域に、キーを有した入力装置及び通信装置の、少なくともいずれかを着脱可能な画像形成装置において、前記通信装置の配置位置が、前記入力装置の配置位置の、前記前後方向の後方であって、前記前後方向に直交する幅方向の領域内に配置されることを特徴とする。
【発明の効果】
【０００６】
本発明によれば、着脱可能な入力装置と通信装置の両方を取り付けても、装置本体や、その設置スペースの幅方向の大型化を抑制できる画像形成装置を提供できる。
【図面の簡単な説明】
【０００７】
【図１】一実施形態に係る複合機の概要説明図。
【図２】一実施形態に係る複合機の外観斜視図。
【図３】複合機を上方から見下げたときの、操作パネル、キーボード、及びカードリーダーの配置領域説明図。
【図４】参考例に係る、カードリーダーの取り付け方法、及びその構成ついての説明図。
【図５】構成例１に係る、キーボードの取り付け方法、及びその構成ついての説明図。
【図６】構成例２に係る、キーボードとカードリーダーの取り付け方法、及びその構成ついての説明図。
【図７】構成例２に係る、カードリーダーをキーボード台に取り付け、オプション固定部に固定したときの通信配線部材であるＵＳＢケーブルを配線する第一配線経路、及び第二配線経路の説明図。
【発明を実施するための形態】
【０００８】
以下、本発明を適用した画像形成装置として、電子写真方式のカラー複合機（以下、複合機５００という。）の一実施形態について説明する。
以下、本実施形態の複合機５００の上記特徴的な構成について、図を用いて説明する。
【０００９】
まず、複合機５００の概要構成、及び複合機５００の外観構成について、図を用いて説明する。
図１は、本実施形態に係る複合機５００の概要説明図である。図２は、本実施形態に係る複合機５００の外観斜視図であり、図２（ａ）が、装置本体４００の前側面１と右側面２１を斜め上方から見下げた外観斜視図、図２（ａ）が、装置本体４００の後側面３１と左側面４１を斜め上方から見下げた外観斜視図である。
本実施形態の複合機５００は、図１に示すように最下方に給紙装置２００を備え、給紙装置２００の上方に画像形成部１００、画像形成部１００の上方にスキャナ３００を備えており、更にスキャナ３００の上方に原稿自動搬送装置（ＡＤＦ）２を備えている。
この複合機５００では、スキャナ３００と自動原稿搬送ユニット２とで、原稿読取部３を構成している。また、複合機５００は、タンデム型で中間転写（間接転写）方式を採用する電子写真方式のカラー複合機である。
【００１０】
画像形成部１００には、その略中央に、無端状ベルトからなる像担持体としての中間転写体である中間転写ベルト１１０が設けられている。この中間転写ベルト１１０は、３つの支持回転体としての支持ローラに掛け渡されており、第三支持ローラ１１３を駆動ローラとして図中時計回り方向に回転移動する。また、３つの支持ローラの内、第一支持ローラ１１１と第二支持ローラ１１２との間に張り渡したベルト部分には、各色に対応した４つの画像形成部が対向配置されている。具体的には、ベルト移動方向に沿って、イエロー（Ｙ）、マゼンタ（Ｍ）、シアン（Ｃ）、黒（Ｋ）の４つの作像ユニット１２１Ｙ，Ｍ，Ｃ，Ｋが並べて配置されたタンデム型画像形成部１２０が対向配置されている。
【００１１】
タンデム型画像形成部１２０の上方には、露光手段としての露光装置１３０が設けられている。そして、露光装置１３０の図中上方には、作像ユニット１２１Ｙ，Ｍ，Ｃ，Ｋにそれぞれ有した現像装置９１にそれぞれ補給するトナーを収容したトナーボトル１３５Ｙ，Ｍ，Ｃ，Ｋが配置されている。
【００１２】
作像ユニット１２１Ｙ，Ｍ，Ｃ，Ｋは、それぞれ、像担持体としてのドラム状の感光体８０Ｙ，Ｍ，Ｃ，Ｋを有している。感光体８０Ｙ，Ｍ，Ｃ，Ｋの周りには、帯電手段としての帯電装置９０Ｙ，Ｍ，Ｃ，Ｋ、現像手段としての現像装置９１Ｙ，Ｍ，Ｃ，Ｋ、クリーニング手段としての感光体クリーニング装置９３Ｙ，Ｍ，Ｃ，Ｋ、除電装置等がそれぞれ配置されている。
【００１３】
作像ユニット１２１Ｙ，Ｍ，Ｃ，Ｋと対向する中間転写ベルト１１０の内周面側には、４つの一次転写ローラ９２Ｙ，Ｍ，Ｃ，Ｋがそれぞれ中間転写ベルト１１０に接触するように配設されている。一次転写ローラ９２Ｙ，Ｍ，Ｃ，Ｋは、電源から一次転写バイアスが印加される。これらの一次転写ローラ９２Ｙ，Ｍ，Ｃ，Ｋにより、作像ユニット１２１Ｙ，Ｍ，Ｃ，Ｋで形成された各トナー像を中間転写ベルト１１０上に順次転写する。そして、中間転写ベルト１１０上には多重トナー像たる合成カラートナー像が形成される。
【００１４】
中間転写ベルト１１０を挟んでタンデム型画像形成部１２０の反対側には、第二の転写手段としての二次転写装置１４０が設けられている。この二次転写装置１４０においては、２つのベルトローラである第一ベルトローラ１４２と第二ベルトローラ１４３の間に記録材搬送部材としての無端状ベルトである二次転写ベルト１４１が掛け渡されている。この二次転写ベルト１４１は、中間転写ベルト１１０を介して第三支持ローラ（駆動ローラ）１１３に押し当てられるように設けられている。この二次転写装置１４０により、中間転写ベルト１１０上のトナー像を記録材である用紙Ｐに転写する。
【００１５】
また、中間転写ベルト１１０の移動方向で二次転写装置１４０よりも下流である第二支持ローラ１１２の図中左側には、画像転写後に中間転写ベルト１１０上に残留する残留トナーを除去する中間転写ベルトクリーニング装置１１５が設けられている。
【００１６】
また、二次転写装置１４０の図中左方には、用紙Ｐ上に転写されたトナー像を定着する定着装置１４５が設けられている。この定着装置１４５は、定着ローラ１４７と加熱ローラ１４８に架け渡され、加熱される無端状ベルトである定着ベルト１４６に加圧ローラ１４９が押し当てられた構成となっている。上述した二次転写装置１４０には、トナー像を中間転写ベルト１１０から用紙Ｐに転写後の用紙Ｐをこの定着装置１４５へと搬送する用紙搬送機能も備わっている。もちろん、二次転写装置１４０としては、転写ローラや非接触の転写チャージャを使用してもよく、そのような場合は、この用紙搬送機能を併せて持たせることが難しくなる。また、本実施形態では、このような二次転写装置１４０及び定着装置１４５の用紙搬送方向下流側下に、用紙Ｐの両面に画像を記録すべく用紙Ｐを反転する用紙反転装置１６０も設けられている。
【００１７】
複合機５００を用いてコピーをとるときは、自動原稿搬送ユニット２の原稿台２ａ上に原稿をセットする。又は、自動原稿搬送ユニット２を上方に開いてスキャナ３００のコンタクトガラス３０２上に原稿をセットし、自動原稿搬送ユニット２を閉じてそれで押さえる。その後、操作パネル５のスタートスイッチを押すと、自動原稿搬送ユニット２に原稿をセットしたときは、原稿を搬送してコンタクトガラス３０２上へと移動する。
【００１８】
一方、コンタクトガラス３０２上に原稿をセットしたときは、直ちにスキャナ３００を駆動する。次いで、第一走行体３０３および第二走行体３０４を走行させる。そして、第一走行体３０３で光源から光を発射するとともに原稿面からの反射光をさらに反射して第二走行体３０４に向け、第二走行体３０４のミラーで反射して結像レンズ３０５を通して読取りセンサ３０６に入れ、原稿内容を読み取る。
この原稿読み取りに並行して、駆動源である駆動モータで第三支持ローラ（駆動ローラ）１１３を回転駆動させる。これにより、中間転写ベルト１１０が図中時計回り方向に移動するとともに、この移動に伴って残り２つの支持ローラ（従動ローラ）である第一支持ローラ１１１と第二支持ローラ１１２が連れ回り回転する。
【００１９】
また、これと同時に、個々の作像ユニット１２１Ｙ，Ｍ，Ｃ，Ｋにおいて感光体８０Ｙ，Ｍ，Ｃ，Ｋをそれぞれ回転させている。この回転させている感光体８０Ｙ，Ｍ，Ｃ，Ｋ上に、イエロー、マゼンタ、シアン、黒の色別の画像情報を用いてそれぞれ露光現像し、各色のトナー像（顕像）を形成する。そして、感光体８０Ｙ，Ｍ，Ｃ，Ｋ上のトナー像を中間転写ベルト１１０上に互いに重なり合うように順次転写して、中間転写ベルト１１０上に合成カラートナー像を形成する。
【００２０】
このような画像形成に並行して、給紙装置２００の給紙ローラ２１１の１つを選択回転し、ペーパーバンク２０１に多段に備える第一給紙カセット８、第二給紙カセット９、第三給紙カセット１０、及び第四給紙カセット１１の１つから用紙Ｐを繰り出す。繰り出した用紙Ｐを、分離ローラ２１２で１枚ずつ分離して給紙路２１３に入れ、搬送ローラ２１５で搬送して画像形成部１００内の給紙路に導き、レジストローラ１５０に突き当てて止める。
【００２１】
又は、図２（ａ）に示す、手差し給紙部カバー２２を取り外して手差しトレイを取り付けている場合には、次のような手差し給紙を行う。
手差し給紙ローラ１５１を回転して、取り付けた手差しトレイ上の用紙Ｐを繰り出し、手差し分離ローラ１５２で１枚ずつ分離して手差し給紙路１５３に入れ、同じくレジストローラ１５０に突き当てて止める。
その後、中間転写ベルト１１０上の合成カラートナー像にタイミングを合わせてレジストローラ１５０を回転し、中間転写ベルト１１０と二次転写装置１４０との間に用紙Ｐを送り込む。そして、二次転写装置１４０で転写して用紙Ｐ上にカラートナー像を転写する。
【００２２】
トナー像転写後の用紙Ｐは、二次転写ベルト１４１で搬送されて定着装置１４５へと送り込まれ、定着装置１４５で定着ベルト１４６と加圧ローラ１４９とによって熱と圧力とが加えられて転写トナー像が定着される。その後、転写トナー像が定着された用紙Ｐを、切換爪１５５で切り替えて排出ローラ１５６で機外に排出する。
ここで、図２（ｂ）に示す、左側面４１に設けた排紙部カバー４２を取り外し、排紙トレイ等を取り付けている場合には、取り付けた排紙トレイ等上にスタックする。
又は、切換爪１５５で切り替えて用紙反転装置１６０に入れ、そこで反転して再び転写位置へと導き、裏面にも画像を記録して後、排出ローラ１５６で排紙トレイ等上に排出する。
【００２３】
そして、トナー像転写後の中間転写ベルト１１０は、中間転写ベルトクリーニング装置１１５で、トナー像転写後に中間転写ベルト１１０上に残留する残留トナーを除去し、タンデム型画像形成部１２０による再度の画像形成に備える。ここで、レジストローラ１５０は一般的には接地されて使用されることが多いが、用紙Ｐ上の紙粉除去のためにバイアスを印加することも可能である。
【００２４】
また、図２（ａ）に示すように、装置本体４００の前側面１の最上部には４つの作像ユニット１２１Ｙ，Ｍ，Ｃ，Ｋにそれぞれ補給する、トナーを収容したトナーボトル１３５Ｙ，Ｍ，Ｃ，Ｋを交換するときに開放するトナー補給カバー６が設けられている。
このトナー補給カバー６は、自動原稿搬送ユニット２から前後方向（図中、ＦＲ方向）で前方に突出しており、この突出した領域に略水平な上前カバー４が設けられている。
【００２５】
上前カバー４の左右方向（幅方向：図中、Ｗ方向）の略中央には、表示操作部である操作パネル５が、そのパネル面の後方を前方よりもやや高く傾斜させた姿勢で取り付けられている。この操作パネル５は、原稿読取部３に対して、パネル面の使いやすさのために、前方へ突出させるが、原稿読取部３のコンタクトガラス３０２への原稿のセットし易さのために、上方へ突出させないように配置されている。ここで、操作パネル５にはディスプレイ（画面）が設けられており、後述するキーボード等の入力装置の操作により、ディスプレイに文字、数値、記号等を表示する。
また、原稿読取部３を設けた装置本体４００の上面部分には、図２（ａ）、（ｂ）に示すように、原稿読取部３の右側に上右カバー４ａが、原稿読取部３の後側に上後カバー４ｂが、原稿読取部３の左側に上左カバー４ｃが、着脱可能に設けてある。
【００２６】
トナー補給カバー６の下方には、画像形成部１００のタンデム型画像形成部１２０等をメンテナンスするときに開放する画像形成部カバー７が設けられている。
また、画像形成部カバー７の下方には、給紙装置２００に設けた第一給紙カセット８、第二給紙カセット９、第三給紙カセット１０、第四給紙カセット１１の前側板が、上方からこの順で配置されており、その図中左側には、反転路カバー１２が配置されている。
一方、装置本体４００の右側面２１には、画像形成部１００の手差し給紙路１５３を開放する手差し給紙部カバー２２と、給紙装置２００の給紙路２１３を開放する給紙路カバー２３と、が設けられている。
【００２７】
また、図２（ｂ）に示すように、装置本体４００の後側面３１には後方電装部３２が設けられており、画像形成部１００や給紙装置２００の各部の動作を制御する制御装置等を、その内部に格納している。
一方、装置本体４００の左側面４１には、画像形成部１００の排出ローラ１５６による用紙Ｐの排紙路を開放する排紙部カバー４２が設けられている。
【００２８】
ここで、詳しくは後述するが、複合機５００は、装置本体４００を上方から見下げたときの前後方向、操作パネル５を設ける前方の領域に、キーボード等のキーを有した入力装置及びカードリーダー等の通信装置の内、少なくともいずれかを着脱可能に構成されている。
このように、入力装置及び通信装置の、少なくともいずれかを着脱可能に構成された画像形成装置としては、例えば、上述した特許文献１に記載の画像形成装置（以下、適宜、特許文献１の画像形成装置という。）が挙げられる。
しかしながら、特許文献１の画像形成装置には、上述したように、装置本体側面から幅方向に入力装置の一部が突出してしまい、画像形成装置、及びその設置スペースの幅方向の大型化を招いてしまうという不具合が生じる場合があった。
【００２９】
そこで、発明者は、着脱可能な入力装置と通信装置の両方を取り付けても、装置本体４００や、その設置スペースの幅方向の大型化を抑制できないか検討し、次のような構成を見出した。
ここで、図３は、複合機５００を上方から見下げたときの、操作パネル５、キーボード７１、及びカードリーダー５３の配置領域説明図である。
複合機５００を、装置本体４００を上方から見下げたときの前後方向における、操作パネル５を設ける前方の領域である上前カバー４に、キーを有した入力装置としてのキーボード７１及び通信装置としてのカードリーダー５３の、少なくともいずれかを着脱可能に構成する。
そして、上前カバー４の左右方向の略中央に設けた操作パネル５の近傍に入力装置としてのキーボード７１や通信装置としてのカードリーダー５３のオプション装置を装着する構成において、両方のオプション装置を装着するときに、次のように構成することとした。
図３に示すように、キーボード７１及びカードリーダー５３の両方を取り付けるときの、カードリーダー５３の配置位置が、キーボード７１の取り付け位置の、前後方向の後方であって、前後方向に直交する左右方向の領域内に配置される構成である。
【００３０】
すなわち、本実施形態の複合機５００は、装置本体４００の前後方向における、操作パネル５を設ける上前カバー４の領域に、キーボード７１及びカードリーダー５３の、少なくともいずれかを着脱可能な画像形成装置である。そして、カードリーダー５３の配置位置が、カードリーダー５３の配置位置の、前後方向の後方であって、前後方向に直交する幅方向である左右方向の領域内に配置されることを特徴とする。図３に示す例では、操作パネル５の右側の領域に、操作パネル５に近接して設けたキーボード７１の後方であって、キーボード７１の左右方向の領域にカードリーダー５３を設けた。
【００３１】
このように複合機５００を構成することで、次のような効果を奏することができる。
複合機５００の前後方向において、キーボード７１の後方であって、キーボード７１の左右方向において、キーボード７１と重なった領域にカードリーダー５３を設置でき、左右方向において省スペースでキーボード７１とカードリーダー５３を共存させることができる。
よって、着脱可能なキーボード７１とカードリーダー５３の両方を取り付けても、装置本体４００や、その設置スペースの幅方向の大型化を抑制できる複合機５００を提供できる。
【００３２】
また、表示操作部側から、横並びに通信装置、入力装置の順で取り付ける従来の画像形成装置では、次のような不具合が生じる場合もあった。
表示操作部から入力装置が幅方向に離れて配置されることになり、入力装置で文字入力するときに入力者が行う、表示操作部を目視確認する目線の移動距離が大きくなり、入力装置の操作性が低下してしまう。
そこで、発明者は、着脱可能な入力装置と通信装置の両方を取り付けても、入力装置の操作性の低下を抑制できないか検討し、図３を用いて説明した構成により、上述した不具合の発生を抑制できることも見出した。
【００３３】
具体的には、図３を用いて説明した構成とすることにより、次のような効果も奏することができる。
表示操作部側から、横並びに通信装置、入力装置の順で取り付ける従来の画像形成装置とは異なり、キーボード７１を操作パネル５に近接して設けることができ、キーボード７１が操作パネル５から離間することを抑制できる。
したがって、キーボード７１が操作パネル５から離間してしまい、キーボード７１の操作性が低下することも抑制できる。
【００３４】
上述した構成、及びその効果は、本実施形態の複合機５００の代表的な特徴であるが、本実施形態の複合機５００には、他の特徴的な構成や、その構成から奏することができる効果もある。
以下、本実施形態の複合機５００の特徴的な構成、及びその効果について、通信装置としてのカードリーダー５３だけを、複合機５００の装置本体４００に直接、取り付ける参考例と、複数の構成例を挙げて説明する。
【００３５】
（参考例）
まず、通信装置としてのカードリーダー５３だけを、複合機５００の装置本体４００に直接、取り付ける参考例の、取り付け方法、及びその構成について、図を用いて説明する。
図４は、本参考例に係る、カードリーダー５３の取り付け方法、及びその構成ついての説明図であり、図４（ａ）が、上前カバー４に設けたカードリーダー５３を取り付けるオプション固定部５１を、上面フタ５２を取り外すことで露出させるときの説明図である。図４（ｂ）が、オプション固定部５１にカードリーダー５３を取り付けた後、カードリーダー内蔵カバー５４で覆うときの説明図、図４（ｃ）が、カードリーダー内蔵カバー５４でカードリーダー５３を覆った状態の説明図である。図４（ｄ）が、カードリーダー５３をオプション固定部５１に取り付けたときの通信配線部材であるＵＳＢケーブルを配線する第一配線経路５６、及び第二配線経路５７の説明図である。
【００３６】
図４で示すように、操作パネル５は、原稿読取部３（図２参照）に対して、画面（パネル）の使いやすさのために、前方へ突出させるが、コンタクトガラス３０２への原稿セットしやすさのために、上方へ突出させないように配置している。また、複合機５００が通路壁際に設置された場合の通行しやすさや、複合機５００の輸送時の梱包のために、装置本体４００に対して、前方へ突出させないように配置している。
上前カバー４は、その上面の左右方向略中央部に、ネジで固定される別体の操作パネル５を固定するための固定部が配置され、上前カバー４と操作パネル５はネジ固定で一体化されているが、操作パネル５を一体で成形しても構わない。
また、上前カバー４上に設けた操作パネル５の右側の上面領域に、カードリーダー５３やキーボード７１等のオプション装置を固定するための凹んだオプション固定部５１と、固定爪で着脱可能に固定される平滑な上面フタ５２が配置されている。
【００３７】
ここで、上前カバー４の凹んだオプション固定部５１に上面フタ５２を装着したときには、上前カバー４と上面フタ５２の上面は揃うように構成されている。
また、オプション固定部５１は、後述する構成例１に設けるキーボードオプションユニット６０のキーボード台６１の固定部としても機能する。
そして、図４（ａ）に示すように、オプション固定部５１の底部の２箇所には、キーボード台６１を固定するためのネジ穴５１ａが設けられている。また、オプション固定部５１の底部の後方側端部近傍には、カードリーダー５３を固定したときにカードリーダー５３の入力配線部材であるＵＳＢケーブルのＵＳＢ端子を通すための固定部貫通孔５１ｂが形成されている。
【００３８】
カードリーダー５３は、右手でのかざしやすさのために、図４に示すように、操作パネル５の右側にやや離して配置されるのが好ましい。
次に、本参考例のカードリーダー５３の装着（取り付け）の具体的な方法（手順）、及びその構成について説明する。
まず、図４（ａ）に示すように上前カバー４から上面フタ５２を外し、図４（ｂ）に示すようにオプション固定部５１にカードリーダー５３を固定し、図４（ｃ）に示すようにオプション固定部５１に着脱可能な固定爪でカードリーダー内蔵カバー５４を固定する。
【００３９】
ここで、オプション固定部５１にカードリーダー５３を固定するときには、次のようにしてカードリーダー５３の通信配線部材であるＵＳＢケーブルのＵＳＢ端子（プラグ）を、後方電装部３２又は操作パネル５の内部基板へ接続する。
図４（ｄ）に示すように、カードリーダー配線元５５から第一配線経路５６又は第二配線経路５７で、後方電装部３２又は操作パネル５の内部基板へカードリーダー５３の通信配線部材であるＵＳＢケーブルのＵＳＢ端子（プラグ）を接続する。
また、カードリーダー内蔵カバー５４の上面はコンタクトガラス３０２の上面より上方へ突出しないように構成されている。
また、図４（ｄ）は、機内配線の経路を明示するため、上前カバー４、上右カバー４ａ、及び上後カバー４ｂを非表示としたものである。
【００４０】
そして、上面フタ５２を外して通したＵＳＢケーブルの第一配線経路５６は上右カバー４ａと上後カバー４ｂを外すだけで、第二配線経路５７は操作パネル５ごと上前カバー４を外し裏返すだけで、それぞれ内部基板へＵＳＢ端子を接続できる。また、第二配線経路５７では、操作パネル５の下面穴から、ＵＳＢ端子を通して、操作パネル５の内装基板に接続できる。
また、第一配線経路５６は機外配線としても構わない。
【００４１】
従来の画像形成装置には、予め中継ケーブルを装置本体内に配置せざるを得ない場合があり、部品点数の増加を招いてしまい画像形成装置の低コスト化を妨げる要因となってしまうという問題がある。
一方、第一配線経路５６又は第二配線経路５７を有している本参考例の複合機５００は、中継ケーブルを装置本体４００内に予め配置する必要がなく、複合機５００の低コスト化を妨げる要因を減らすことができる。
【００４２】
（構成例１）
次に、入力装置の配置位置と通信装置の配置位置の関係が図３を用いて説明した位置関係にあるが、入力装置としてのキーボード７１だけを、装置本体４００に取り付ける構成例１の、取り付け方法、及びその構成について、図を用いて説明する。
【００４３】
図５は、本構成例に係る、キーボード７１の取り付け方法、及びその構成ついての説明図であり、図５（ａ）が、キーボード台６１へキーボード７１を取り付けるときの説明図である。図５（ｂ）が、キーボード台６１に第一上カバー６６を取り付けるときの説明図、図５（ｃ）が、キーボード７１と第一上カバー６６をキーボード台６１に取り付けたキーボードオプションユニット６０の説明図である。図５（ｄ）が、キーボード７１のＵＳＢ端子を接続する操作パネル５の接続端子部の説明図、図５（ｅ）が、キーボードオプションユニット６０の上前カバー４への装着状態の説明図である。
【００４４】
図５（ｅ）に示すように、キーボード７１を取り付けるキーボード台６１は、キーボード７１への両手でのキー入力と、操作パネル５の確認し易さのために、操作パネル５の右隣で離さず、近接配置されるのが好ましい。また、参考例で上述したように、図４（ａ）に示したカードリーダー５３のオプション固定部５１にキーボード台６１（キーボードオプションユニット６０）を固定することができる。より具体的には、キーボード７１と第一上カバー６６とキーボード台６１から構成されるキーボードオプションユニット６０の、キーボード台６１をカードリーダー５３のオプション固定部５１にネジ固定することができる。
【００４５】
そこで、本構成例では、キーボード台６１のキーボード７１を配置する位置であるキーボード配置部６２を操作パネル５の右隣で離さず、近接配置することとした。
具体的には、図２（ａ）に示したように、装置本体４００の前側面１のトナー補給カバー６上部と、原稿読取部３との間に設けた上前カバー４の上面領域の左右方向の略中央、装置本体４００の前側面１から前方にはみ出さない位置に操作パネル５を配置している。
そして、図５（ｅ）に示すようにキーボード台６１が、前側面１から前方に、右側面２１から右側にはみ出さず、キーボード台６１のキーボード配置部６２が操作パネル５の右隣に隣接するように配置している。
【００４６】
ここで、図５（ａ）に示すようにキーボード台６１には、上前カバー４に固定した状態で装置本体４００の前側面１側（前方）にキーボード台６１を取り付けるキーボード配置部６２を有し、その後方であって、右側の領域に余剰ケーブル収納部６４を有している。また、この余剰ケーブル収納部６４の右側には、詳しくは後述する、カードリーダー５３を固定するカードリーダー配置部６５を有している。
また、キーボード台６１には、その内部空間を形成するように、キーボード台６１の底部からから立設するキーボード台壁部６１ａが四方に設けられている。
そして、キーボード台壁部６１ａの余剰ケーブル収納部６４に面する部分と、これに接続するキーボード台６１の底部を跨ぐように、キーボード７１のＵＳＢケーブルのＵＳＢ端子を貫通させる貫通孔６１ｂが形成されている。
【００４７】
また、キーボード台６１の底部の位置には、オプション固定部５１のネジ穴５１ａにねじ込むネジ６３のネジ部を貫通させ固定する２つの貫通孔６３ａが形成されている。
また、キーボード台６１の底部には、カードリーダー５３のＵＳＢケーブルのＵＳＢ端子を通すための貫通孔６１ｃが形成されている。この貫通孔６１ｃは、図５（ａ）に示すように、余剰ケーブル収納部６４とカードリーダー配置部６５とを跨ぐように形成されている。
【００４８】
次に、本構成例のキーボード７１の装着する（取り付ける）具体的な方法（手順）、及びその構成について説明する。
まず、図４（ａ）を用いて説明したカードリーダー５３だけを装着する参考例と同様に、上前カバー４から上面フタ５２を外す。そして、図５（ａ）に示すようにオプション固定部５１にネジ６３でキーボード台６１を固定した後、固定したキーボード台６１にキーボード７１を取り付ける（積載する）。
【００４９】
その後、図５（ｂ）に示すようにキーボード７１のキーボード配線元７２から途中に余剰長さのある入力配線部材としてのＵＳＢケーブル７３のＵＳＢ端子を、図５（ｄ）に示す操作パネル５の右面フタ５ａを外して露出した内部基板に接続する。
このとき、キーボード７１のＵＳＢケーブル７３の余剰長さとなる中央部を、キーボード台６１の内部空間となる余剰ケーブル収納部６４に収納し、キーボード台６１に着脱可能な固定爪で第一上カバー６６を固定して、図５（ｃ）に示す状態とする。そして、図５（ｅ）に示すように、キーボード７１を積載するキーボード配置部６２が、前側面１から前方にはみ出さず、右側面２１から右側にはみ出さないように配置される。
【００５０】
また、上述したＵＳＢケーブル７３の配線経路は、上前カバー４を外さずに、図５（ｄ）に示す操作パネル５の右面フタ５ａと参考例の図４（ａ）に示した上面フタ５２を外すだけで、操作パネル５の内部基板へキーボード７１のＵＳＢケーブル７３のＵＳＢ端子を接続できる。
ここで、キーボード配線元７２から、操作パネル５の内部基板へキーボード７１のＵＳＢケーブル７３のＵＳＢ端子を接続できる配線経路を有していない従来の画像形成装置には、次のような問題があった。
予め中継ケーブルを装置本体内に配置せざるを得ない場合があり、部品点数の増加を招いてしまい画像形成装置の低コスト化を妨げる要因となってしまうという問題である。
一方、上述したＵＳＢケーブル７３の配線経路を有している本構成例の複合機５００は、中継ケーブルを装置本体４００内に予め配置する必要がなく、複合機５００の低コスト化を妨げる要因を減らすことができる。
【００５１】
また、図５（ｅ）は、キーボードオプションユニット６０を用いて、装置本体４００（上前カバー４）に入力装置としてのキーボード７１だけを装着した状態を示している。
このキーボードオプションユニット６０は、コンタクトガラス３０２への原稿セットをし易くするために、コンタクトガラス３０２の上面に対して、上方へ突出させないように配置されている。また、手差し給紙を行うときや、給紙路２１３での紙詰まり処理を行うとき等、装置本体４００の右側面２１での操作性および省スペースな設置性のために、装置本体４００の右側面２１に対して、右側（右方）へ突出させないように配置されている。また、複合機５００が通路壁際に設置された場合の通行しやすさのために、装置本体４００の前側面１に対して、前方へ突出させないように配置されている。
【００５２】
（構成例２）
次に、入力装置の配置位置と通信装置の配置位置の関係が図３を用いて説明した位置関係にあり、入力装置としてのキーボード７１と通信装置としてのカードリーダー５３を、複合機５００の装置本体４００に取り付ける構成例２の、取り付け方法、及びその構成について、図を用いて説明する。
図６は、本構成例に係る、キーボード７１とカードリーダー５３の取り付け方法、及びその構成ついての説明図であり、図６（ａ）が、カードリーダー５３をキーボードオプションユニット６０のキーボード台６１に取り付けるときの説明図である。図６（ｂ）が、カードリーダー５３を覆う第二上カバー６７を取り付けるときの説明図である。
【００５３】
図６（ｃ）が、キーボード７１、カードリーダー５３、及び第二上カバー６７をキーボード台６１に取り付けたキーボードオプションユニット６０の説明図である。図６（ｄ）が、図６（ｃ）に示したキーボードオプションユニット６０の上前カバー４への装着状態の説明図である。図７は、本構成例に係る、カードリーダー５３をキーボード台６１に取り付け、オプション固定部５１に固定したときの通信配線部材であるＵＳＢケーブルを配線する第一配線経路５６、及び第二配線経路５７の説明図である。
【００５４】
本構成例のキーボードオプションユニット６０は、図５を用いて説明した構成例１のキーボードオプションユニットとは異なり、図６に示すように、キーボード７１と第二上カバー６７とキーボード台６１に加え、カードリーダー５３もその構成要素としている。
但し、本構成例のキーボードオプションユニット６０のキーボード台６１としては、構成例１で説明したキーボードオプションユニットのキーボード台と同一構成ものを用いることができる。
【００５５】
キーボード台６１のキーボード７１を積載するキーボード配置部６２は、キーボード７１への両手でのキー入力と、操作パネル５の確認し易さのために、構成例１の図５（ｅ）で示したように、操作パネル５の右隣で近接配置されるのが好ましい。但し、キーボード台６１のカードリーダー５３を固定するカードリーダー配置部６５は、カードリーダー５３での読み取り対象（カード等）の右手でのかざし易さのために、操作パネル５の右側で、やや離した位置に配置されるのが好ましい。
そこで、図６、図７を用いて説明する本構成例では、キーボード台６１のキーボード配置部６２を操作パネル５の右隣で近接配置し、キーボード台６１のカードリーダー配置部６５を操作パネル５の右側で、やや離した位置に配置するように構成した。
【００５６】
具体的には、図２（ａ）に示したように、装置本体４００の前側面１のトナー補給カバー６上部と、原稿読取部３との間に設けた上前カバー４の上面領域の左右方向の略中央、装置本体４００の前側面１から前方にはみ出さない位置に操作パネル５を配置している。
そして、操作パネル５の右隣で近接配置した上前カバー４上の領域に配置したキーボード台６１のキーボード配置部６２を、図６（ｄ）に示すようにキーボード台６１が前側面１から前方にはみ出さず、右側面２１から右側にはみ出さないように配置している。
また、キーボード台６１のカードリーダー配置部６５が、操作パネル５の右側で、やや離した位置になるように、カードリーダー配置部６５をキーボード配置部６２の後方であって、操作パネル５から離れたキーボード台６１上の領域に配置している。
【００５７】
次に、本構成例のキーボード７１とカードリーダー５３の両方を装着する（取り付ける）具体的な方法（手順）、及びその構成について説明する。
まず、図４（ａ）を用いて説明したカードリーダー５３だけを装着する参考例と同様に、上前カバー４から上面フタ５２を外す。そして、図６（ａ）に示すようにオプション固定部５１にネジ６３で固定したキーボード台６１のキーボード配置部６２にキーボード７１を積載し（図５（ａ）参照）、カードリーダー配置部６５にカードリーダー５３を固定する。
その後、図６（ｂ）に示すようにキーボード７１のキーボード配線元７２から途中に余剰長さのあるＵＳＢケーブル７３のＵＳＢ端子を、操作パネル５の右面フタ５ａを外して露出した内部基板に接続する（図５（ｄ）参照）。
一方、カードリーダー５３のカードリーダー配線元５５から第一配線経路５６又は第二配線経路５７で、後方電装部３２又は操作パネル５の内部基板へ通信配線部材であるＵＳＢケーブルのＵＳＢ端子（プラグ）を接続する。
【００５８】
このとき、キーボード７１のＵＳＢケーブル７３の余剰長さとなる中央部を、キーボード台６１の内部空間となる余剰ケーブル収納部６４に収納し、キーボード台６１に着脱可能な固定爪で第二上カバー６７を固定して、図６（ｃ）に示す状態とする。そして、図６（ｄ）に示すように、キーボード７１を積載するキーボード配置部６２が、前側面１から前方にはみ出さず、右側面２１から右側にはみ出さないように配置される。また、キーボード台６１のカードリーダー配置部６５が、操作パネル５の右側で、やや離した位置になるように、カードリーダー配置部６５をキーボード配置部６２の後方であって、操作パネル５から離れたキーボード台６１上の領域に配置される。
【００５９】
ここで、第二上カバー６７の上面には、カードリーダー５３での読み取り対象（カード等）のかざし易さのために、カードリーダー５３の内蔵位置、すなわち読取位置を示すカード読取位置指標６８が配置されている。本構成例では、カード読取位置指標６８を直印刷したものを用いているが、直印刷したものでなく貼付デカルにして貼らずに同梱すれば、第二上カバー６７は、構成例１の図５（ｂ）、（ｃ）、（ｅ）で示した第一上カバー６６と共通化することもできる。
【００６０】
また、図６（ｄ）は、キーボードオプションユニット６０を用いて、装置本体４００（上前カバー４）に入力装置としてのキーボード７１と通信装置としてのカードリーダー５３のオプション装置とを同時に装着した状態を示している。つまり、本構成例の図６（ｄ）に示すキーボードオプションユニット６０は、キーボード７１とカードリーダー５３を共存可能なものである。
このキーボードオプションユニット６０は、構成例１の図５（ｅ）に示したキーボード単体のキーボードオプションユニットと同様に、コンタクトガラス３０２への原稿セットをし易くするために、装置本体４００の上面に対して、上方へ突出させないように配置している。また、手差し給紙を行うときや、給紙路２１３での紙詰まり処理を行うとき等、装置本体４００の右側面２１での操作性および省スペースな設置性のために、装置本体４００の右側面２１に対して、右側（右方）へ突出させないように配置している。また、複合機５００が通路壁際に設置された場合の通行しやすさのために、装置本体４００の前側面１に対して、前方へ突出させないように配置している。
【００６１】
また、図７は、機内配線の経路を明示するため、上前カバー４、上右カバー４ａ、及び上後カバー４ｂを非表示としたものである。
そして、第一配線経路５６は上右カバー４ａと上後カバー４ｂを外すだけで、第二配線経路５７は操作パネル５ごと上前カバー４を外し裏返すだけで、それぞれ内部基板へ通信配線部材であるＵＳＢケーブルのＵＳＢ端子を接続できる。また、第二配線経路５７では、操作パネル５の下面穴から、ＵＳＢ端子を通して、操作パネル５の内装基板に接続できる。これら第一配線経路５６と第二配線経路５７は、機内配線となる。
一方、上述したＵＳＢケーブル７３の配線経路は、上前カバー４を外さずに、構成例１の図５（ｄ）に示した操作パネル５の右面フタ５ａと参考例の図４（ａ）に示した上面フタ５２を外すだけで、操作パネル５の内部基板へキーボード７１のＵＳＢケーブル７３のＵＳＢ端子を接続できる。
【００６２】
上述したように、本実施形態の複合機５００は、装置本体４００の前後方向における、操作パネル５を設ける上前カバー４の領域に、キーボード７１及びカードリーダー５３の、少なくともいずれかを着脱可能なものである。
そして、カードリーダー５３の配置位置が、キーボード７１の配置位置の、前後方向の後方であって、前後方向に直交する左右方向の領域内に配置されている。
このように複合機５００を構成することで、次のような効果を奏することができる。
【００６３】
複合機５００の左右方向と直交する前後方向において、キーボード７１の後方であって、キーボード７１の左右方向において、キーボード７１と重なった領域にカードリーダー５３を設置できる。これにより、装置本体４００の左右方向において省スペースでキーボード７１とカードリーダー５３を共存させることができる。
よって、着脱可能なキーボード７１とカードリーダー５３の両方を取り付けても、装置本体４００や、その設置スペースの左右方向の大型化を抑制できる複合機５００を提供できる。
また、操作パネル側から、横並びにカードリーダー、キーボードの順で取り付ける従来の画像形成装置とは異なり、キーボード７１を操作パネル５に近接して設けることができ、キーボード７１が操作パネル５から離間することを抑制できる。
したがって、キーボード７１が操作パネル５から離間してしまい、キーボード７１の操作性が低下することも抑制できる。
【００６４】
また、本実施形態の複合機５００は、キーボード７１及びカードリーダー５３をキーボード台６１に取り付け可能である。また、キーボード台６１は、キーボード７１の配置位置であるキーボード配置部６２と、カードリーダー５３の配置位置であるカードリーダー配置部６５とを有している。
このように複合機５００を構成することで、次のような効果を奏することができる。
キーボード配置部６２とカードリーダー配置部６５とを有する同一のキーボード台６１を利用してキーボード７１単体、又はキーボード７１とカードリーダー５３を取り付けることができる。したがって、キーボード７１単体、又はキーボード７１とカードリーダー５３を取り付けたときの複合機５００の外観の相違を低減できる。
【００６５】
また、本実施形態の複合機５００は、キーボード配置部６２の幅方向の操作パネル５側に、キーボード７１及びカードリーダー５３をそれぞれ、操作パネル５、又は装置本体４００の適所に接続するＵＳＢケーブルの余長部分を収容する余剰ケーブル収納部６４を有する。
このように複合機５００を構成することで、次のような効果を奏することができる。
キーボード台６１の余剰ケーブル収納部６４に、ＵＳＢケーブルの余長部分を収容できる。このため、ＵＳＢケーブルの余長部分の格納も含めてキーボード７１とカードリーダー５３の美観の悪化を抑制することができる。
【００６６】
また、本実施形態の複合機５００では、操作パネル５は、左右方向に所定の広さを有した台部としての上前カバー４に設けられている。また、上前カバー４の、操作パネル５に左右方向で隣接する右側領域等の少なくとも一方の領域には、カードリーダー５３を直接、上前カバー４に固定するときの設置面としてのオプション固定部５１が設けられている。そして、オプション固定部５１には、キーボードオプションユニット６０を固定するネジ穴５１ａが設けられている。
【００６７】
このように複合機５００を構成することで、次のような効果を奏することができる。
カードリーダー５３単体の取り付け時と、キーボード７１単体や、キーボード７１とカードリーダー５３の両方を取り付けるときのオプション固定部５１を露出させる手順が変化することでの作業性の悪化を抑制できる。また、いずれも取り付けない場合にオプション固定部５１を塞ぐ上面フタ５２を設けることができる。
また、このように上面フタ５２を設けることで、カードリーダー５３を固定するオプション固定部５１やキーボードオプションユニット６０を固定するネジ穴５１ａを上面フタ５２で覆うことができ、装置本体４００の美観が損なわれることを回避できる。
【００６８】
また、本実施形態の複合機５００は、キーボードオプションユニット６０は、余剰ケーブル収納部６４の操作パネル５側に、そのキーボード台６１の底面から立設するキーボード台壁部６１ａが設けられている。そして、キーボード台壁部６１ａに形成された貫通孔６１ｂを介して、キーボード７１を操作パネル５に接続する入力配線部材としてのＵＳＢケーブルのＵＳＢ端子が、操作パネル５の内部基板に接続される。
このように複合機５００を構成することで、次のような効果を奏することができる。
装置本体４００、及びキーボードオプションユニット６０の美観を損なうことなく、キーボード７１の入力配線部材としてのＵＳＢケーブル７３のＵＳＢ端子を操作パネル５の内部基板に接続することが可能となる。
【００６９】
また、本実施形態の複合機５００は、カードリーダー５３を装置本体４００の内部基板に接続する通信配線部材としてのＵＳＢケーブルは、次のようにしてキーボードオプションユニット６０の外部へ引き出される。
キーボードオプションユニット６０のキーボード台６１に設けたカードリーダー配置部６５の底面に形成された貫通孔６１ｃを介して、キーボードオプションユニット６０の外部へ引き出される。
このように複合機５００を構成することで、次のような効果を奏することができる。
装置本体４００、及びキーボードオプションユニット６０の美観を損なうことなく、カードリーダー５３の通信配線部材としてのＵＳＢケーブルのＵＳＢ端子を第一配線経路５６や第二配線経路５７等の配線経路で配線して、操作パネル５、又は装置本体４００の内部基板に接続する接続することが可能となる。
【００７０】
また、本実施形態の複合機５００では、キーボード７１は、装置本体４００に取り付けられたとき、左右方向において、装置本体４００の右側面２１から外側に突出しないよういに構成されている。
このように複合機５００を構成することで、着脱可能なキーボード７１を取り付けても、装置本体４００や、その設置スペースの左右方向の大型化を確実に抑制できる。
【００７１】
また、本実施形態の複合機５００では、キーボード７１は、装置本体４００に取り付けられたとき、前後方向において、操作パネル５を設けた装置本体４００の前側面１よりも前方に突出しないように構成されている。
このように複合機５００を構成することで、着脱可能なキーボード７１を取り付けても、装置本体４００や、その設置スペースの前後方向の大型化を確実に抑制できる。
【００７２】
また、本実施形態の複合機５００の装置本体４００に対して取り付け可能なキーボードオプションユニット６０は、着脱可能にキーボード７１及びカードリーダー５３を搭載できる。
そして、キーボード７１を搭載するキーボード配置部６２と、装置本体４００の前後方向においてキーボード配置部６２の後方側であって、且つ前後方向に直交する左右方向（Ｗ方向）におけるキーボード配置部６２の領域内に設けられた、カードリーダー５３を搭載するカードリーダー配置部６５と、を有する。
【００７３】
これによれば、本実施形態で説明したように、次のような効果を奏することができる。
このキーボードオプションユニット６０を介して、キーボード７１と通信装置の両方を複合機５００に取り付けることで、複合機５００の左右方向と直交する前後方向において、キーボード７１の後方であって、キーボード７１の左右方向において、キーボード７１と重なった領域にカードリーダー５３を設置できる。
したがって、左右方向において省スペースでキーボード７１とカードリーダー５３を共存させることができる。
よって、着脱可能なキーボード７１とカードリーダー５３の両方を取り付けても、装置本体４００や、その設置スペースの幅方向の大型化を抑制できるキーボードオプションユニット６０を提供できる。
【００７４】
以上、本実施形態について、図面を参照しながら説明してきたが、具体的な構成は、上述した本実施形態の複合機５００の構成に限られるものではなく、要旨を逸脱しない範囲の設計の変更等を行っても良い。
上述した本実施形態の複合機５００の説明では、入力装置としてキーボード７１を設ける構成について説明したが、このような構成に限定されるものではない。例えば、入力装置として、テンキー（テンキーボード）や、キーボード又はテンキーにドラックボール等の座標入力装置を備えたものにも適用可能である。
また、本実施形態の複合機５００の説明では、通信装置としてカードリーダー５３を設ける構成について説明したが、このような構成に限定されるものではない。例えば、通信装置として、認証装置、携帯電話、スマートフォン、及びタブレットＰＣ等の端末機器と通信を行う通信機能を備えたものにも適用可能である。
【００７５】
また、本実施形態の複合機５００の説明では、上前カバー４の左右方向の略中央に配置した操作パネル５の右隣りの領域に、キーボード７１やカードリーダー５３を配置する構成について説明したが、このような構成に限定されるものではない。例えば、上前カバー４の左右方向の略中央に配置した操作パネル５の左隣りの領域に、キーボード７１やカードリーダー５３を配置する構成や、上前カバー４の左右方向の一端側に操作パネル５を設けた構成にも適用可能である。
また、本実施形態の複合機５００の説明では、非胴内排紙型の複合機５００の構成について説明したが、このような構成に限定されるものではない。例えば、胴内排紙型の画像形成装置の構成にも適用可能である。
【００７６】
また、本実施形態の画像形成装置として、複合機５００について説明したが、このような構成に限定されるものではなく、プリンター、ファクシミリ、複写機にも適用可能である。
また、本実施形態の画像形成装置として、電子写真方式の複合機５００について説明したが、このような構成に限定されるものではなく、インクジェット方式のプリンター、ファクシミリ、複写機にも適用可能である。
【００７７】
以上に説明したものは一例であり、次の態様毎に特有の効果を奏する。
（態様Ａ）
装置本体４００などの装置本体の前後方向における、操作パネル５などの表示操作部を設ける上前カバー４などの前方の領域に、キーボード７１などのキーを有した入力装置及びカードリーダー５３などの通信装置の、少なくともいずれかを着脱可能な複合機５００などの画像形成装置において、前記通信装置の配置位置が、前記入力装置の配置位置の、前記前後方向の後方であって、前記前後方向に直交するＷ方向などの幅方向の領域内に配置されることを特徴とする。
【００７８】
これによれば、本実施形態で説明したように、次のような効果を奏することができる。
画像形成装置の幅方向と直交する前後方向において、入力装置の後方であって、入力装置の幅方向において、入力装置と重なった領域に通信装置を設置でき、幅方向において省スペースで入力装置と通信装置を共存させることができる。
よって、着脱可能な入力装置と通信装置の両方を取り付けても、装置本体や、その設置スペースの幅方向の大型化を抑制できる画像形成装置を提供できる。
【００７９】
（態様Ｂ）
（態様Ａ）の画像形成装置において、前記入力装置及び前記通信装置を搭載できるキーボードオプションユニット６０のキーボード台６１などの搭載部材を取り付け可能であり、前記搭載部材は、前記入力装置の配置位置であるキーボード配置部６２などの入力装置搭載領域と、前記通信装置の配置位置であるカードリーダー配置部６５などの通信装置搭載領域とを有することを特徴とする。
これによれば、本実施形態で説明したように、次のような効果を奏することができる。
入力装置搭載領域と通信装置搭載領域とを有する同一の搭載部材を利用して入力装置単体、又は入力装置と通信装置を取り付けることができる。したがって、入力装置単体、又は入力装置と通信装置を取り付けたときの画像形成装置の外観の相違を低減できる。
【００８０】
（態様Ｃ）
（態様Ｂ）の画像形成装置において、前記通信装置搭載領域の前記幅方向の前記表示操作部側に、前記入力装置及び前記通信装置をそれぞれ、前記表示操作部、又は前記装置本体の適所に接続するＵＳＢケーブルなどの配線部材の余長部分を収容する余剰ケーブル収納部６４などの余剰領域を有することを特徴とする。
これによれば、本実施形態で説明したように、次のような効果を奏することができる。
入力装置及び通信装置をそれぞれ、表示操作部、又は装置本体の適所に接続する配線部材の余長部分を収容できるので、余剰配線の格納も含めて入力装置と通信装置の美観の悪化を抑制することができる。
【００８１】
（態様Ｄ）
（態様Ｃ）の画像形成装置において、前記表示操作部は、前記幅方向に所定の広さを有した上前カバー４などの台部に設けられており、前記台部の、前記表示操作部に前記幅方向で隣接する右側領域などの少なくとも一方の領域には、前記通信装置を直接、前記台部に設置するときのオプション固定部５１などの設置面が設けられ、前記設置面には、前記搭載部材を固定するネジ穴５１ａなどの固定部が設けられていることを特徴とする。
【００８２】
これによれば、本実施形態で説明したように、次のような効果を奏することができる。
通信装置単体の取り付け時と、入力装置単体や、入力装置と通信装置の両方を取り付けるときの設置面を露出させる手順が変化することでの作業性の悪化を抑制できる。また、いずれも取り付けない場合に設置面を塞ぐ上面フタ５２などの蓋部材を設けることができる。
また、このように蓋部材を設けることで、通信装置を設置する設置面や搭載部材を固定する固定部を蓋部材で覆うことができ、装置本体の美観が損なわれることを回避できる。
【００８３】
（態様Ｅ）
（態様Ｃ）又は（態様Ｄ）の画像形成装置において、前記搭載部材は、前記余剰領域の前記表示操作部側に、その底面から立設するキーボード台壁部６１ａなどの壁部が設けられ、前記壁部に形成された貫通孔６１ｂなどの貫通孔を介して、前記入力装置を前記表示操作部に接続するＵＳＢケーブルなどの入力配線部材のＵＳＢ端子などの接続部が、前記表示操作部に接続されることを特徴とする。
これによれば、本実施形態で説明したように、装置本体、及び搭載部材の美観を損なうことなく、入力装置の入力配線部材の接続部を表示操作部に接続することが可能となる。
【００８４】
（態様Ｆ）
（態様Ｂ）乃至（態様Ｅ）のいずれかの画像形成装置において、前記通信装置を前記装置本体の適所に接続するＵＳＢケーブルなどの通信配線部材は、前記搭載部材の前記通信装置搭載領域の底面に形成された貫通孔６１ｃなどの貫通孔を介して、前記搭載部材の外部へ引き出されることを特徴とする。
これによれば、本実施形態で説明したように、次のような効果を奏することができる。
装置本体、及び搭載部材の美観を損なうことなく、通信装置の通信配線部材のＵＳＢ端子などの接続部を第一配線経路５６や第二配線経路５７等の配線経路で配線するなどして、表示操作部、又は装置本体の適所に接続する接続することが可能となる。
【００８５】
（態様Ｇ）
（態様Ａ）乃至（態様Ｆ）のいずれかの画像形成装置において、前記入力装置は、前記装置本体に取り付けられたとき、前記幅方向において、前記装置本体の右側面２１などの側面から外側に突出しないことを特徴とする。
これによれば、本実施形態で説明したように、着脱可能な入力装置を取り付けても、装置本体や、その設置スペースの幅方向の大型化を確実に抑制できる。
【００８６】
（態様Ｈ）
（態様Ａ）乃至（態様Ｇ）のいずれかの画像形成装置において、前記入力装置は、前記装置本体に取り付けられたとき、前記前後方向において、前記表示操作部を設けた前記装置本体の前側面１などの前面よりも前方に突出しないことを特徴とする。
これによれば、本実施形態で説明したように、着脱可能な入力装置を取り付けても、装置本体や、その設置スペースの前後方向の大型化を確実に抑制できる。
【００８７】
（態様Ｉ）
着脱可能にキーボード７１などの入力装置及びカードリーダー５３などの通信装置を搭載し、複合機５００などの画像形成装置の装置本体４００などの装置本体に対して取付け可能なキーボードオプションユニット６０などの搭載部材であって、前記入力装置を搭載するキーボード配置部６２などの入力装置搭載領域と、前記装置本体の前後方向において入力装置搭載領域の後方側であって、且つ前記前後方向に直交する幅方向における前記入力装置搭載領域の領域内に設けられた、前記通信装置を搭載するカードリーダー配置部６５などの通信装置搭載領域と、を有することを特徴とする。
【００８８】
これによれば、本実施形態で説明したように、次のような効果を奏することができる。
この搭載部材を介して、入力装置と通信装置の両方を画像形成装置に取り付けることで、画像形成装置の幅方向と直交する前後方向において、入力装置の後方であって、入力装置の幅方向において、入力装置と重なった領域に通信装置を設置できる。
したがって、幅方向において省スペースで入力装置と通信装置を共存させることができる。
よって、着脱可能な入力装置と通信装置の両方を取り付けても、装置本体や、その設置スペースの幅方向の大型化を抑制できる搭載部材を提供できる。
【符号の説明】
【００８９】
１    前側面
２    自動原稿搬送ユニット
２ａ  原稿台
３    原稿読取部
４    上前カバー
５    操作パネル
５ａ  右面フタ
２１    右側面
５１    オプション固定部
５１ａ  ネジ穴
５１ｂ  固定部貫通孔
５２    上面フタ
５３    カードリーダー
５４    カードリーダー内蔵カバー
５５    カードリーダー配線元
５６    第一配線経路
５７    第二配線経路
６０    キーボードオプションユニット
６１    キーボード台
６１ａ  キーボード台壁部
６１ｂ  貫通孔（キーボード用）
６１ｃ  貫通孔（カードリーダー用）
６２    キーボード配置部
６３    ネジ
６３ａ  貫通孔（ネジ用）
６４    余剰ケーブル収納部
６５    カードリーダー配置部
６６    第一上カバー
６７    第二上カバー
６８    カード読取位置指標
７１    キーボード
７２    キーボード配線元
７３    ＵＳＢケーブル（キーボード、入力配線部材）
１００    画像形成部
２００    給紙装置
３００    スキャナ
４００    装置本体
５００    複合機
ＦＲ    前後方向
Ｗ    左右方向（幅方向）
【先行技術文献】
【特許文献】
【００９０】
【特許文献１】特開２０１５−０４３４９４号公報
【図１】
2018046499.tif 000003
【図２】
2018046499.tif 000004
【図３】
2018046499.tif 000005
【図４】
2018046499.tif 000006
【図５】
2018046499.tif 000007
【図６】
2018046499.tif 000008
【図７】
2018046499.tif 000009